(57)【要約】【課題】  電子機器に装着された部品に応じた電子機器自身の環境負荷をユーザに分かりやすく出力可能にする。【解決手段】本発明に係る電子機器は、部品を装着可能な電子機器であって、装着された部品の識別情報を入力する部品識別情報入力部と、部品識別情報入力部の入力した部品識別情報に対応する環境負荷情報である部品環境負荷情報を取得する部品環境負荷情報取得部と、電子機器に対応する環境負荷情報である本体環境負荷情報を取得する本体環境負荷情報取得部と、部品環境負荷情報取得部の取得した部品環境負荷情報と本体環境負荷情報取得部の取得した本体環境負荷情報とに基づいて、部品の装着された電子機器の環境負荷情報を算出する環境負荷情報算出部と、を備える。【選択図】  図３
2010118947.tif 000002
【特許請求の範囲】
【請求項１】
部品を装着可能な電子機器であって、
装着された部品の識別情報を入力する部品識別情報入力部と、
前記部品識別情報入力部の入力した部品識別情報に対応する環境負荷情報である部品環境負荷情報を取得する部品環境負荷情報取得部と、
前記電子機器に対応する環境負荷情報である本体環境負荷情報を取得する本体環境負荷情報取得部と、
前記部品環境負荷情報取得部の取得した部品環境負荷情報と前記本体環境負荷情報取得部の取得した本体環境負荷情報とに基づいて、前記部品の装着された電子機器の環境負荷情報を算出する環境負荷情報算出部と、
を備える電子機器。
【請求項２】
前記環境負荷情報算出部は、電子機器の電源投入後に装着された部品が、電源投入前の部品から変更されたことに応じて前記部品の装着された電子機器の環境負荷情報を算出する請求項１に記載の電子機器。
【請求項３】
前記環境負荷情報算出部は、前記部品の装着された電子機器の環境負荷情報を算出する旨の設定を受け付けた場合に前記部品の装着された電子機器の環境負荷情報を算出する請求項１または２に記載の電子機器。
【請求項４】
前記装着された部品の入手先の入力を受け付ける入力部を備え、
前記環境負荷情報算出部は、前記入力部が受け付けた入手先に基づいて輸送段階の環境負荷情報を算出する請求項１〜３のいずれかに記載の電子機器。
【請求項５】
電子機器に装着可能な部品に対応する環境負荷情報を部品の識別情報とともに記憶する記憶部を備え、
前記環境負荷情報算出部は、前記部品識別情報入力部の入力した部品の識別情報に対応する環境負荷情報に基づいて前記部品の装着された電子機器の環境負荷情報を算出する請求項１〜４のいずれかに記載の電子機器。
【請求項６】
前記記憶部に記憶される環境負荷情報は、前記部品の製造段階、輸送段階もしくは廃棄段階の環境負荷のうち少なくとも１つを含む請求項５に記載の電子機器。
【請求項７】
前記部品環境負荷情報取得部は、前記部品識別情報入力部の入力した部品の識別情報に対応する環境負荷情報の検索を外部の情報処理装置に依頼して、公開されたリソースから前記情報処理装置が検索した環境負荷情報を取得し、
前記環境負荷情報算出部は、前記情報処理装置から取得した環境負荷情報に基づいて前記部品の装着された電子機器の環境負荷情報を算出する請求項１〜４のいずれかに記載の電子機器。
【請求項８】
前記部品環境負荷情報取得部は、前記部品識別情報入力部が識別情報を入力した部品を構成する構成要素の各々に対応する環境負荷情報の検索を外部の情報処理装置に依頼して、公開されたリソースから前記情報処理装置が検索した前記部品を構成する構成要素の各々に対応する環境負荷情報環境負荷情報を取得し、
前記環境負荷情報算出部は、前記情報処理装置から取得した環境負荷情報に基づいて前記部品の装着された電子機器の環境負荷情報を算出する請求項１〜４のいずれかに記載の電子機器。
【請求項９】
前記環境負荷情報算出部は、前記部品環境負荷情報取得部が環境負荷情報を取得済みの任意の部品の諸元と前記部品環境負荷情報取得部が環境負荷情報を未取得の部品の諸元との比率と、前記取得済みの部品の環境負荷情報とに基づいて未取得の部品の環境負荷情報を算出する請求項８に記載の電子機器。
【請求項１０】
前記部品環境負荷情報取得部は、前記部品識別情報入力部が識別情報を入力した部品の定格電流の情報を取得し、
前記環境負荷情報算出部は、前記部品の定格電流に基づいて前記部品の装着された電子機器の使用段階の環境負荷情報を算出する請求項１〜９のいずれかに記載の電子機器。
【請求項１１】
前記部品の装着された電子機器の動作内容に応じた使用段階の環境負荷のモデル測定値を記憶するモデル測定値記憶部を備え、
前記環境負荷情報算出部は、前記モデル測定値記憶部の記憶した使用段階のモデル測定値に基づいて前記部品の装着された電子機器の環境負荷情報を算出する請求項１〜９のいずれかに記載の電子機器。
【請求項１２】
前記環境負荷情報算出部の算出した環境負荷情報を、所定の表示装置、印刷装置および記録装置のうち少なくとも１つに出力する出力部を備える請求項１〜１１のいずれかに記載の電子機器。
【請求項１３】
部品を装着可能な電子機器が、
装着された部品の識別情報を入力するステップと、
前記入力した部品識別情報に対応する環境負荷情報である部品環境負荷情報を取得するステップと、
前記電子機器に対応する環境負荷情報である本体環境負荷情報を取得するステップと、
前記取得した部品環境負荷情報と前記取得した本体環境負荷情報とに基づいて、前記部品の装着された電子機器の環境負荷情報を算出するステップと、
を実行する環境負荷情報算出方法。
【請求項１４】
請求項１３に記載の環境負荷情報算出方法を電子機器に実行させる環境負荷情報算出プログラム。
【発明の詳細な説明】
【技術分野】
【０００１】
本発明は、使用状況等に応じて増減する環境負荷を演算する機能を有するデジタルカメラその他の電子機器に関する。
【背景技術】
【０００２】
近年、地球資源保護および地球環境保護の観点から、家電製品、ＯＡ機器等の機器を製造するメーカ、これらの機器を使用するユーザーに対して地球環境負荷の低減が強く求められるようになってきた。このような環境負荷を定量的に評価する手法としては、例えば、特許文献１に記載されているように、ライフサイクルアセスメント（ＬＣＡ：Life Cycle Assessment）が注目されている。
【０００３】
ＬＣＡとは、製品およびサービスが、資源の採取から製品の製造、物流、使用、廃棄、リサイクルなどのライフサイクル全体にわたって、環境に及ぼす影響を客観的に評価する手法の一つである。ＬＣＡの原則は、国際標準化機構の規格ＩＳＯ１４０４０に明文化され、そのまま日本工業規格（ＪＩＳ Ｑ １４０４０）となっている。ＬＣＡは、製品などの全ライフサイクルの環境負荷の評価及び改善のためのツールとして注目されている。
【０００４】
ところで、デジタルカメラについても、ＬＣＡの手法を適用して環境負荷を定量的に評価することが考えられる。デジタルカメラの場合、製造時の環境負荷（製造環境負荷）については、製造メーカが素材、投入電力量等の環境負荷に影響を与えるファクターを把握し、これらを、例えばＣＯ2の排出量に換算することにより定量的に把握することが可能である。その結果をインターネット上で公開するエコリーフ環境ラベルという制度も運用されている。
【０００５】
特許文献１では、ＯＡ装置（例えばＰＣ）のコンポーネント構成対応の階層的構成情報と下位構成品毎の素材、電子部品候補一覧、組立エネルギー候補一覧、製造後の流通、使用、処分側過程の燃料、エネルギー候補を含む構成ツリーテンプレートと、これを提示し構成品毎の素材、電子部品、組立エネルギー、製造後各過程の燃料、エネルギーについて使用量の入力を促し、評価対象ＰＣの構成情報と各使用量を出力する構成ツリー作成手段と、素材、電子部品単位のＬＣＡ評価値、エネルギー、燃料の換算値を持つ圧縮データベースと、出力、圧縮データベースより評価値を算出するＬＣＡ評価値算出手段とを有すＬＣＡ評価装置が開示されている。
【０００６】
特許文献２では、個々の部品や機器にＬＣＡ値を付与し、部品や機器から直接にＬＣＡ値を取得できるようにする。
【０００７】
特許文献３では、部品の環境負荷情報を予め登録しておくデータベースと、製品を構成する部品についてデータベースを検索する検索手段と、検索の結果、検索対象の部品の環境負荷情報がデータベースに登録されている場合には環境負荷情報を用い、一方、検索対象の部品の環境負荷情報がデータベースに登録されていない場合には、データベースに登録されている検索対象の部品と同一品種又は同一材料の部品の環境負荷情報の平均化処理から、検索対象の部品の環境負荷情報の評価値を算出する環境負荷情報評価手段と、製品に対して算出された環境負荷情報の評価結果を出力する環境負荷情報評価結果手段と、を備える。
【０００８】
特許文献４では、環境負荷情報の利用者の端末と接続されている装置であって、（ａ）環境負荷情報を蓄積する手段と、（ｂ）利用者の端末から送信されてくる検索条件を入力する手段と、（ｃ）検索条件に合致する環境負荷情報を（ａ）の手段に蓄積されている環境負荷情報の中から検索する手段と、（ｄ）検索結果として得られる環境負荷情報を利用者の端末に送信する手段とを有することを特徴とする環境負荷情報装置を開示している。
【０００９】
特許文献５では、製品設計情報を格納した記憶装置と３次元仮想空間表示機能４を有するＣＡＤシステムと、組立・分解に関する情報、環境負荷情報を格納したリレーショナルデータベースシステムから構成され、製品設計情報と組立・分解情報から組立・分解シミュレーションを行い組立分解性評価を行う処理と、シミュレーション結果、製品設計情報、環境負荷情報を用いた環境負荷評価を行う処理と、評価結果に基づいて設計に必要な情報を提示し設計変更を行う処理を開示している。
【００１０】
その他、本願発明に関係する先行技術として、特許文献６および７が挙げられる。
【特許文献１】特開２００１−２０９６９５号公報
【特許文献２】特開２００２−５９１４６号公報
【特許文献３】特開２００２−４９６４９号公報
【特許文献４】特開２００３−１４１２１１号公報
【特許文献５】特開平７−３１１７９２号公報
【特許文献６】特開２００７−５３４３３号公報
【特許文献７】特開２００７−１８９４０９号公報
【発明の開示】
【発明が解決しようとする課題】
【００１１】
電子機器に装着されたパーツによって、電子機器自身の環境負荷は変化する。例えば、デジタルカメラ本体に純正レンズを装着した場合と非純正のレンズを装着した場合とでは、レンズ製造や輸送の環境負荷、消費電力の相違などからデジタルカメラ自身の全体的な環境負荷は異なるであろう。しかし、特許文献１〜５では、例えば、デジタルカメラ本体に、非純正のレンズを装着した場合に、それを正確に計算してユーザに分かりやすく提供することはできない。
【００１２】
本発明は、電子機器に装着された部品に応じた電子機器自身の環境負荷をユーザに分かりやすく出力可能にすることを目的とする。
【課題を解決するための手段】
【００１３】
本発明に係る電子機器は、部品を装着可能な電子機器であって、装着された部品の識別情報を入力する部品識別情報入力部と、部品識別情報入力部の入力した部品識別情報に対応する環境負荷情報である部品環境負荷情報を取得する部品環境負荷情報取得部と、電子機器に対応する環境負荷情報である本体環境負荷情報を取得する本体環境負荷情報取得部と、部品環境負荷情報取得部の取得した部品環境負荷情報と本体環境負荷情報取得部の取得した本体環境負荷情報とに基づいて、部品の装着された電子機器の環境負荷情報を算出する環境負荷情報算出部と、を備える。
【００１４】
環境負荷情報算出部は、電子機器の電源投入後に装着された部品が、電源投入前の部品から変更されたことに応じて部品の装着された電子機器の環境負荷情報を算出する。
【００１５】
環境負荷情報算出部は、部品の装着された電子機器の環境負荷情報を算出する旨の設定を受け付けた場合に部品の装着された電子機器の環境負荷情報を算出する。
【００１６】
装着された部品の入手先の入力を受け付ける入力部を備え、環境負荷情報算出部は、入力部が受け付けた入手先に基づいて輸送段階の環境負荷情報を算出する。
【００１７】
電子機器に装着可能な部品に対応する環境負荷情報を部品の識別情報とともに記憶する記憶部を備え、環境負荷情報算出部は、部品識別情報入力部の入力した部品の識別情報に対応する環境負荷情報に基づいて部品の装着された電子機器の環境負荷情報を算出する。
【００１８】
記憶部に記憶される環境負荷情報は、部品の製造段階、輸送段階もしくは廃棄段階の環境負荷のうち少なくとも１つを含む。
【００１９】
部品環境負荷情報取得部は、部品識別情報入力部の入力した部品の識別情報に対応する環境負荷情報の検索を外部の情報処理装置に依頼して、公開されたリソースから情報処理装置が検索した環境負荷情報を取得し、環境負荷情報算出部は、情報処理装置から取得した環境負荷情報に基づいて部品の装着された電子機器の環境負荷情報を算出する。
【００２０】
部品環境負荷情報取得部は、部品識別情報入力部が識別情報を入力した部品を構成する構成要素の各々に対応する環境負荷情報の検索を外部の情報処理装置に依頼して、公開されたリソースから情報処理装置が検索した部品を構成する構成要素の各々に対応する環境負荷情報環境負荷情報を取得し、環境負荷情報算出部は、情報処理装置から取得した環境負荷情報に基づいて部品の装着された電子機器の環境負荷情報を算出する。
【００２１】
環境負荷情報算出部は、部品環境負荷情報取得部が環境負荷情報を取得済みの任意の部品の諸元と部品環境負荷情報取得部が環境負荷情報を未取得の部品の諸元との比率と、取得済みの部品の環境負荷情報とに基づいて未取得の部品の環境負荷情報を算出する。
【００２２】
部品環境負荷情報取得部は、部品識別情報入力部が識別情報を入力した部品の定格電流の情報を取得し、環境負荷情報算出部は、部品の定格電流に基づいて部品の装着された電子機器の使用段階の環境負荷情報を算出する。
【００２３】
部品の装着された電子機器の動作内容に応じた使用段階の環境負荷のモデル測定値を記憶するモデル測定値記憶部を備え、環境負荷情報算出部は、モデル測定値記憶部の記憶した使用段階のモデル測定値に基づいて部品の装着された電子機器の環境負荷情報を算出する。
【００２４】
環境負荷情報算出部の算出した環境負荷情報を、所定の表示装置、印刷装置および記録装置のうち少なくとも１つに出力する出力部を備える。
【００２５】
本発明に係る環境負荷情報算出方法は、部品を装着可能な電子機器が、装着された部品の識別情報を入力するステップと、入力した部品識別情報に対応する環境負荷情報である部品環境負荷情報を取得するステップと、電子機器に対応する環境負荷情報である本体環境負荷情報を取得するステップと、取得した部品環境負荷情報と取得した本体環境負荷情報とに基づいて、部品の装着された電子機器の環境負荷情報を算出するステップと、を実行する。
【００２６】
この環境負荷情報算出方法を電子機器に実行させる環境負荷情報算出プログラムも本発明に含まれる。
【発明の効果】
【００２７】
この発明によると、電子機器自身の環境負荷を装着された部品に応じて算出することができ、ユーザが任意に装着した部品を含めた電子機器全体の環境負荷を把握できる。
【発明を実施するための最良の形態】
【００２８】
＜第１実施形態＞
図１はデジタルカメラ１０のブロック図およびデジタルカメラ１０と接続されたパソコン１および外部情報環境ＤＢ２を含む環境負荷演算システムの概略構成が示されている。デジタルカメラ１０は、カメラ本体１０ｂと、カメラ本体１０ｂに着脱自在なレンズユニット１０ｌとから構成される。レンズユニット１０ｌは、撮影レンズ１４及び絞り１５からなる撮影光学系１３と駆動手段１５２を含んでいる。撮影レンズ１４は１枚又は複数枚のレンズで構成され、例えば単一の焦点距離（固定焦点）のレンズで構成される。
【００２９】
撮影光学系１３を介してＣＣＤ１１８の受光面に結像された被写体像は、各センサで入射光量に応じた量の信号電荷に変換される。このようにして蓄積された信号電荷は、ＣＣＤ駆動回路１２０から加えられるＣＣＤ駆動パルスによって読み出され、信号電荷に応じた電圧信号（アナログ画像信号）として順次ＣＣＤ１１８から出力される。
【００３０】
ＣＣＤ１１８には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１１８は、シャッターゲートパルスによって各センサに蓄積される電荷の蓄積時間（シャッタースピード）を制御する、いわゆる電子シャッター機能を有している。
【００３１】
ＣＣＤ１１８から読み出された信号は、ＣＤＳ回路１２２において相関二重サンプリング（ＣＤＳ）処理されるとともに、Ｒ，Ｇ，Ｂの各色信号に色分離処理され、各色信号の信号レベルの調整が行われる。
【００３２】
これら所定のアナログ信号処理を経た画像信号は、Ａ/Ｄ変換器１２４に加えられ、このＡ/Ｄ変換器１２４によりＲ，Ｇ，Ｂのデジタル信号に変換された後、メモリ１２６に一時的に格納される。
【００３３】
タイミング信号発生回路（ＴＧ）１２８は、ＣＰＵ１３０からのコマンドに応じてＣＣＤ駆動回路１２０、ＣＤＳ回路１２２及びＡ/Ｄ変換器１２４に対して適宜のタイミング信号を与えており、各回路はタイミング信号発生回路２８から加えられるタイミング信号により同期して駆動されるようになっている。
【００３４】
ＣＰＵ１３０は、デジタルカメラ１０の各回路を統括制御する制御部であり、バス１３２を介してゲイン調整回路１３４、ガンマ補正回路１３６、輝度・色差信号処理回路（ＹＣ処理回路という。）１３８、圧縮伸張回路１４０、メモリカード１４２のカードインターフェース１４４、ＬＣＤ２２を駆動する表示用ドライバ１４８、画像変換回路１４６及び通信部１５９等と接続されている。
【００３５】
また、ＣＰＵ１３０には、ステイタスディスプレイ２０、消費電力測定部５０、不揮発性のメモリ１５７、電源ボタン２５が接続されている。
【００３６】
ステイタスディスプレイ２０には、デジタルカメラ１０の各種設定や、使用モード、状態等が表示される。
【００３７】
消費電力測定部５０では、デジタルカメラ１０の使用に際して電源３０からカメラ本体１０ｂあるいはデジタルカメラ１０を介してレンズユニット１０ｌで消費される電力が測定される。消費電力は、電源がオン状態となっている時間と各動作モード（例えば、撮影モード、再生モード）の単位時間あたりの消費電力、各動作（例えば記録動作）の回数と１回あたりの消費電力、等に基づいて求めることができる。レンズユニット１０ｌは、１種類でなく、多数種類が存在しうる。
【００３８】
不揮発性メモリ１５７には、後述する制御ルーチンのプログラムや、消費電力測定部５０で測定された消費電力から算出される環境負荷、その他のデータが記憶されている。環境負荷に関するデータについての詳細は後述する。
【００３９】
ＣＰＵ１３０は操作スイッチ３８からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００４０】
操作スイッチ３８には、カメラのモード選択手段、ズーム操作手段、その他の各種の入力手段が含まれる。これら入力手段は、スイッチボタン、ダイヤル、スライド式ツマミなど種々の形態があり、タッチパネルや液晶モニタ表示部の画面上において設定メニューや選択項目を表示してカーソルで所望の項目を選択する態様もある。この操作スイッチ３８はカメラ本体１０ｂに配設されているが、リモコン送信機としてカメラ本体と分離した構成にすることも可能である。
【００４１】
ＣＰＵ１３０は、ＣＣＤ１１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１５を適正絞り値に設定する。
【００４２】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、駆動手段１５２を介して絞り１５を駆動するとともに、決定したシャッタースピードとなるように電子シャッターによってＣＣＤ１１８の電荷の蓄積時間を制御する。したがって、デジタルカメラ１０の撮影レンズ１４を被写体に向けるだけで、最適な露出調整が行われるとともに、ピント合わせが自動的に行われる。
【００４３】
撮影記録時においては、レリーズボタン１８の「半押し」時に上述した測光動作を複数回繰り返して正確な撮影ＥＶを求め、この撮影ＥＶに基づいて撮影時の絞り値とシャッタースピードを最終的に決定する。そして、レリーズボタン１８の「全押し」時に最終的に決定した絞り値になるように絞り１５を駆動し、また、決定したシャッタースピードとなるように電子シャッターによって電荷の蓄積時間を制御する。なお、ＡＥ、ＡＦはＣＣＤ１１８から取得される画像信号に基づいて制御する方法の他、周知の測光センサやＡＦ投光／受光センサからなる測距センサ等を用いてもよい。
【００４４】
Ａ/Ｄ変換器１２４から出力されたデータはメモリ１２６に格納されるとともに、積算回路１６０に加えられる。積算回路１６０は、撮影画面を複数のブロック（例えば、８×８の６４個のブロック）に分割し、複数のブロック毎に受入したＧ信号の積算演算を行う。なお、Ｒ、Ｇ、Ｂのデータから輝度信号（Ｙ信号）を生成して、輝度信号の積算演算を行ってもよい。また、積算回路１６０はＡＥ演算回路で兼用することもできる。積算回路１６０で得られた積算値の情報（演算結果）はＣＰＵ１３０に入力される。
【００４５】
ＣＰＵ１３０は積算回路１６０からの情報に基づき、所定のアルゴリズムに従って撮影画面の評価値Ｅを算出し、求めた評価値Ｅを用いてゲイン調整回路１３４におけるゲイン値（増幅率）を決定する。ＣＰＵ１３０は決定したゲイン値に従ってゲイン調整回路１３４におけるゲイン量を制御する。
【００４６】
メモリ１２６に記憶されたＲ、Ｇ、Ｂの画像データはゲイン調整回路１３４に送られ、ここで増幅処理される。増幅処理された画像データは、ガンマ補正回路１３６において、ガンマ補正処理が施された後、ＹＣ処理回路１３８へ送られ、ＲＧＢデータから輝度信号（Ｙ信号）及び色差信号（Ｃr,Ｃb信号）に変換される。なお、ＣＰＵ１３０は、必要に応じてホワイトバランス処理なども行うことができる。
【００４７】
ＹＣ処理回路１３８において生成された輝度・色差信号（ＹＣ信号と略記する）は、メモリ１２６に書き戻される。メモリ１２６に記憶されたＹＣ信号は表示用ドライバ１４８に供給され、所定方式の信号（例えば、ＮＴＳＣ方式のカラー複合映像信号）に変換されてＬＣＤ２２に出力される。ＬＣＤ２２には液晶ディスプレイその他のカラー表示可能な表示装置が用いられる。なお、ＬＣＤ２２はＹＣ信号入力対応のタイプのものを適用してもよいし、ＲＧＢ信号入力タイプのものを適用してもよく、表示装置に対応したドライバが適用される。
【００４８】
ＣＣＤ１１８から出力される画像信号によって画像データが定期的に書き換えられ、その画像データから生成される映像信号がＬＣＤ２２に供給されることにより、ＣＣＤ１１８が捉える画像がリアルタイムに動画像（ライブ画像）として、又はリアルタイムではないが、ほぼ連続した画像としてＬＣＤ２２に表示される。
【００４９】
ＬＣＤ２２は電子ビューファインダーとして利用でき、撮影者はＬＣＤ２２の表示画像又はファインダーによって撮影画角を確認することができる。レリーズボタン１８の押下操作など所定の記録指示（撮影開始指示）操作に呼応して、記録用の画像データの取り込みが開始される。
【００５０】
撮影者が操作スイッチ３８から撮影記録の指示を入力すると、ＣＰＵ１３０は必要に応じて圧縮伸張回路１４０にコマンドを送り、これにより圧縮伸張回路１４０はメモリ１２６上のＹＣデータをＪＰＥＧその他の所定の形式に従って圧縮する。圧縮された画像データは、例えば、カードインターフェース１４４を介してメモリカード１４２に記録される。
【００５１】
本実施の形態のデジタルカメラ１０は、画像データを保存する手段としてメモリカード１４２が用いられている。具体的には、例えばxDピクチャーカード等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００５２】
また、再生モード時にはメモリカード１４２から読み出された画像データが圧縮伸張回路１４０によって伸張処理され、表示用ドライバ１４８を介してＬＣＤ２２に出力される。
【００５３】
ＣＰＵ１３０は、バス１３２を介して通信部１５９と接続されている。通信部１５９は、ユーザーのパーソナルコンピュータ１（ＰＣ）又はインターネット等の通信網を通して外部環境負荷情報データベース（外部ＤＢ）２と通信するためのインターフェースであり、例えばＵＳＢ（Universal Serial Bus）や、ＩＥＥＥ１３９４等のインターフェースを用いることができる。ＣＰＵ１３０は、通信部１５９を介して及び外部ＤＢ１５４と情報の授受を行うことができる。
【００５４】
次に、環境負荷に関するデータについて説明する。
【００５５】
不揮発性メモリ１５７には、環境負荷についてのデータを記憶する環境負荷テーブル１５０が設けられている。環境負荷テーブル１５０には、デジタルカメラ１０を製造する際（製造ステージ）に生じる製造環境負荷ＥPR、デジタルカメラ１０を製造工場からユーザーまで移送する際（物流ステージ）に生じる物流環境負荷ＥPD、カメラ本体１０ｂを使用する際（使用ステージ）に生じる使用環境負荷ＥUS、カメラ本体１０ｂを廃棄する際（廃棄ステージ）に生じる廃棄環境負荷ＥRJ、デジタルカメラ１０のこれまでの環境負荷の積算値Ｅsum、カメラ本体１０ｂのライフサイクル全体に亘る全環境負荷ＥT、カメラ本体１０ｂに装着可能なパーツ、例えばレンズユニット１０ｌや電源３０（１次電池、２次電池、ＡＣ電源）の環境負荷情報が記憶されている。環境負荷の積算値Ｅsumは、製造環境負荷ＥPR、物流環境負荷ＥPD、及びこれまでの使用環境負荷ＥUS、の合計であり、全環境負荷ＥTは、製造環境負荷ＥPR、物流環境負荷ＥPD、使用環境負荷ＥUS、及び廃棄環境負荷ＥRJ合計である。各ステージの環境負荷ＥPR、ＥPD、ＥRJ、使用環境負荷ＥUSは、それぞれ地球環境に対する影響を定量的かつ客観的に評価可能とするためＣＯ2の排出量に換算される。
【００５６】
上記環境負荷のうち、製造環境負荷ＥPR、物流環境負荷ＥPD、廃棄環境負荷ＥRJについては、カメラ本体１０ｂが含まれる製造ロット毎に予め標準的なＣＯ２排出量が初期値として製造メーカにより設定されており、これらの環境負荷ＥPR、ＥPD、ＥRJの初期値が、環境負荷テーブル１５０にそれぞれ格納されている。環境負荷テーブル１５０を常にメモリ１５７に格納しておく代わりに、パソコン１などの外部資源から外部Ｉ／Ｆ１６１を介して必要なときに入力してもよい。
【００５７】
以下に、製造環境負荷ＥPR、物流環境負荷ＥPD、使用環境負荷ＥUS、及び廃棄環境負荷ＥRJ合の算出方法について説明する。
【００５８】
（製造環境負荷の算出方法）
カメラ本体１０ｂの製造環境負荷ＥPRは、デジタルカメラ１０を形成する素材を製造し、これらの素材に加工等の処理を施して部品にするために必要となる環境負荷（素材環境負荷）と、これらの部品を組み立ててカメラ本体１０ｂを完成させるために必要となる環境負荷（ライン環境負荷）とに大別され、これらを合算することにより算出される。
【００５９】
ここで、素材環境負荷は、製品（カメラ本体１０ｂ）を構成する全ての部品について、その質量、材料原単位、加工原単位及び組立原単位を用いて下記（表１）に示すように算出する。
【００６０】
【表１】
2010118947.tif 000003
【００６１】
ライン環境負荷は、カメラ本体１０ｂを製造する製造ラインにおいて使用するエネルギと排出されるエネルギのそれぞれ原単位を用いて、下記（表２）に示すように算出する。
【００６２】
【表２】
2010118947.tif 000004
【００６３】
なお、素材環境負荷及びライン環境負荷は、製造工場が異なったり、製造工場での基本的な製造単位である製造ロットが異なったりすると、この製造ロット毎に消費エネルギ、原単位等も変化することがあり、製造環境負荷ＥPRも異なったものになることがある。
【００６４】
（物流環境負荷の算出方法）
カメラ本体１０ｂの物流環境負荷ＥPDは、重量Ｗ（ｔ）の製品（デジタルカメラ１０）及び、梱包材等の付帯物をメーカの製造工場から目的地まで搬送する場合には、次の（１）式及び（２）式により算出される。
物流負荷量 ＝ 輸送距離×Ｗ／製品の積載個数・・・（１）
物流環境負荷＝物流負荷量×物流原単位・・・（２）
ここで、輸送距離は、本来的には、製造工場から目的地（小売店へデジタルカメラ１０を出荷する物流センター、大規模小売店の倉庫、卸売り業者の倉庫等の場所）までの距離である。本実施形態に係るデジタルカメラ１０の場合には、カメラ本体１０ｂの出荷先（国内の物流拠点、輸出国の物流拠点等）に応じて、メーカの製造工場からカメラ本体１０ｂの出荷先までの平均的な距離が予めメモリ１５７に初期値として格納されている。
【００６５】
（使用環境負荷の算出方法）
カメラ本体１０ｂの使用環境負荷ＥUSは、カメラ本体１０ｂの使用に伴って消費される電力量に基づいて、下記（表３）に示されるように算出される。
【００６６】
【表３】
2010118947.tif 000005
【００６７】
また使用環境負荷ＥUSは、カメラ本体１０ｂを構成する何らかの部品が交換されたり、オプション品が付加されたりすると、その交換部品の製造に要した環境負荷（部品交換環境負荷）、オプション品の製造に要した環境負荷（オプション品交換環境負荷）が加算されることになる。交換部品としては、電源３０の一種である電池等の消耗部品及び、カメラ本体１０ｂの故障に伴って交換された場合の修理用部品が含まれる。各々の交換部品、オプション品についての環境負荷の値については、交換部品、オプション品毎に、メモリ１５７に記憶することができる。ただし、部品の環境負荷の記憶は必須でなく、パソコン１から取り込むこともできる。
【００６８】
（廃棄環境負荷の算出方法）
カメラ本体１０ｂの廃棄環境負荷ＥRJは、カメラ本体１０ｂの廃却方法によって異なるものとなり、下記（表４）に示されるように算出される。
【００６９】
【表４】
2010118947.tif 000006
【００７０】
ユーザーがカメラ本体１０ｂを廃棄する際には、あらかじめ設定された廃棄方法だけでなくユーザーは、カメラ本体１０ｂに対して（表４）に示される何れかの廃却方法を変更可能とされており、廃却方法を変更することにより、ＣＰＵ１３０は、メモリ１５７の環境負荷テーブル１５０に設定されている廃棄環境負荷ＥRJを廃却方法に対応する値に書き換える。
【００７１】
なお、表１〜４で用いられる原単位は、随時更新することができる。更新は、通信部１５９を介してパーソナルコンピュータ１その他の電子機器と接続し、接続された電子機器からダウンロードすることにより行うことができる。
【００７２】
図２は、本発明に係るカメラ１０全体のＬＣＡ算出の流れを概念的に示す。特許文献１と同様、カメラ本体１０ｂを試作後、筐体、ＰＣＢ、等のコンポーネントに分解する。各コンポーネントを更に細かく分解し素材毎の重量を測定する。各コンポーネントの組立製造に要した消費電力を実績値を按分し算出する。
【００７３】
そしてコンポーネント単位で素材毎の使用量、組立製造の為の電力についてのリストを作成し、これらを集計する。これらのリストは設計者がパソコン１に入力して外部環境負荷情報ＤＢ２に記憶する。
【００７４】
次に各素材、消費電力をＬＣＡ評価値に換算するための統計資料を捜してきて、これらを適宜組み合わせながら集計表からＰＣ本体のＬＣＡ値を手計算により算出する。
【００７５】
図３は、ＣＰＵ１３０の実行する環境負荷算出処理のフローチャートである。この処理をＣＰＵ１３０に実行させるプログラムはメモリ１５７に記憶されている。ＣＰＵ１３０は、この処理を実施するか否かの設定を操作スイッチ３８から受け付け、実施する旨の設定を受け付けた場合のみ処理を実施し、実施しない旨の設定を受け付けた場合は処理を実施しないものとする。実施しない旨の設定をすれば、環境負荷算出処理による初期動作の完了の遅延を避けることができる。
【００７６】
Ｓ１では、電源ボタン２５がオンされ、電源３０による各ブロックへの電源供給が開始したことに応じ、消費電力測定部５０に消費電力の測定開始を指示する。
【００７７】
Ｓ２では、現にカメラ本体１０ｂに装着されている装着レンズユニット１０ｌ-cur側の識別情報（ＩＤ）やその代替物（製造番号など）や撮像素子の仕様などを含むコンフィンギュレーション情報の受信などカメラ１０の動作の初期化を行う。コンフィンギュレーション情報は、装着レンズユニット１０ｌ-curに内蔵されたメモリに記憶されており、これを同じく装着レンズユニット１０ｌに内蔵されたＣＰＵが読み出して、これを外部Ｉ／Ｆ１６１経由でカメラ本体１０ｂに送信する。あるいは、装着レンズユニット１０ｌに貼付されたＩＣタグやＱＲコードを、ＩＣタグリーダーやＱＲコードリーダなどの専用の読み取り手段で読み取り、読み取った情報を外部Ｉ／Ｆ１６１経由で入力してもよい。
【００７８】
Ｓ３では、環境負荷の表示その他の出力をオンにする旨の設定が予め操作スイッチ３８から入力され不揮発性メモリ１５７に記憶されているか否かを判断する。Ｙｅｓの場合はＳ４に進み、Ｎｏの場合は初期化動作を終了する。
【００７９】
Ｓ４では、Ｓ２で受信した装着レンズユニット１０ｌ-curのコンフィンギュレーション情報config_curと、不揮発性メモリ１５７に予め格納された、今回の電源オンより以前に受信した現に装着されていない非装着レンズユニット１０ｌ_preのコンフィンギュレーション情報config_preとを比較し、両者が一致するか否かに応じて、装着レンズユニット１０ｌが電源オンの前後で非装着レンズユニット１０ｌ_preから交換されているか否かを判断する。なお、装着レンズユニット１０ｌ以外のパーツについてもコンフィギュレーション情報を受信可能であれば、同様の判断を行う。以下、説明の間略のため、パーツはレンズユニット１０ｌとするが、その他のパーツでも同様の処理が可能である。
【００８０】
Ｓ５では、交換された装着レンズユニット１０ｌ-curの環境負荷情報を送信するよう、外部Ｉ／Ｆ１６１を介して接続されたパソコン１に要求する。当該要求には、交換されたレンズユニット１０ｌのＩＤが含まれている。パソコン１は、要求を受信すると、その中に含まれるＩＤに対応する環境負荷情報を外部環境負荷情報ＤＢ２から抽出して、カメラ１０に返信する。カメラ１０は環境負荷情報を受信すると、これを装着レンズユニット１０ｌ-curのＩＤと対応づけて不揮発性メモリ１５７に記憶する。
【００８１】
パソコン１は、その中に含まれるＩＤに対応する環境負荷情報を外部環境負荷情報ＤＢ２から抽出できなかった場合、該当データがない旨の通知をカメラ１０に返信する。カメラ１０が該当データがない旨の通知を受信した場合、外部環境負荷情報ＤＢ２以外のリソースから交換された装着レンズユニット１０ｌ-curのＩＤに対応する環境負荷情報の検索をパソコン１に依頼してもよい。検索の方法は任意であるが、例えばパソコン１が図示しない検索エンジンに接続し、「装着レンズユニット１０ｌ-curのＩＤに対応する環境負荷情報」を検索キーワードに指定して検索エンジンにサイトの検索を依頼し、検索されたサイトにパソコン１が接続して環境負荷情報を取得し、これをカメラ１０に送信する。検索も不可能であれば、諸元の類似するパーツの環境負荷情報のサイトを検索してこれをカメラ１０に送信してもよい。
【００８２】
Ｓ６では、受信した環境負荷情報に基づき、前回の環境負荷表示以降のカメラ１０の使用時の環境負荷を再計算する。
【００８３】
Ｓ７では、再計算の結果得られた環境負荷をＬＣＤ２２に表示する。表示時間はカメラ１０の使用に差し支えのない程度の短時間、例えば３〜１０秒程度である。ただし、環境負荷を表示する代わりに、あるいは表示とともに、環境負荷をメモリカード１４２に出力して記憶してもよいし、外部Ｉ／Ｆ１６１経由でパソコン１や図示しないプリンタなどに送信して保存やプリント出力してもよい。
【００８４】
図４はＬＣＤ２２に表示する環境負荷の表示例である。図４（ａ）のように、環境負荷合計を表示してもよいし、図４（ｂ）のように、製造、輸送、使用、廃棄の各ステージに分けて環境負荷を表示してもよい。なお、廃棄時の環境負荷は予想値であるため、※マークを付している。
【００８５】
例えば、カメラ本体１０ｂに装着可能なレンズユニット１０ｌが、タイプＡ、タイプＢ、タイプＣの３種類（以下それぞれレンズユニット１０ｌ−Ａ、１０ｌ−Ｂ、１０ｌ−Ｃで表す）であるとする。表５は、これらの環境負荷情報がどのように把握されたかを一覧にしている。
【００８６】
【表５】
2010118947.tif 000007
【００８７】
タイプＡのレンズユニット１０ｌ−Ａには、図示しない内蔵メモリやＩＣタグなどの環境負荷情報記憶手段が備えられており、ＩＤと環境負荷情報（製造環境負荷、小売店までの物流環境負荷、シャッタボタン（操作スイッチ３８の一種）１回押下当たりの消費電力を示す使用環境負荷、廃棄環境負荷）が記憶されている。レンズユニット１０ｌ−Ａが装着レンズユニット１０ｌ-curとなった場合、ＣＰＵ１３０は、それらの情報を外部Ｉ／Ｆ１６１を介して、あるいは図示しないＩＣタグリーダ（読み出し手段）で読み出し、メモリ１５７に環境負荷テーブル１５０として格納する。
【００８８】
ただし、タイプＡのレンズユニット１０ｌ−Ａは、環境負荷情報に小売店までの物流環境負荷情報を記憶していなくてもよい。ＣＰＵ１３０は、レンズユニット１０ｌ−Ａから入力した環境負荷情報に小売店までの物流環境負荷情報が含まれていないと判断した場合、操作スイッチ３８からレンズユニット１０ｌ−Ａの入手先の位置情報を特定可能な情報（購入先の店の住所、店の名前など）の入力を受け付ける。そして、ＣＰＵ１３０は、ＩＤと入力された購入先の住所を添付した物流環境負荷情報の送信をパソコン１に要求する。パソコン１は、ＩＤと入手先の位置情報をキーに物流環境負荷情報を外部環境負荷情報ＤＢ２から検索し、検索された物流環境負荷情報をカメラ本体１０ｂに送信する。外部環境負荷情報ＤＢ２には、入手先の位置情報ごとの物流環境負荷情報が予め格納されているものとする。カメラ本体１０ｂは、受信した物流環境負荷情報を、環境負荷テーブル１５０の一部に取り込んで格納する。このようにして入手先に応じた正確な物流段階の環境負荷を計算できる。なお、物流以外のステージの環境負荷情報についても、カメラ本体１０ｂがＩＤをレンズユニット１０ｌ−Ａから入力できれば、これをキーにした環境負荷情報の検索を送信をパソコン１に要求して、パソコン１にて検索・送信されたステージの環境負荷情報を環境負荷テーブル１５０の一部に取り込んで格納できる。
【００８９】
タイプＢのレンズユニット１０ｌ−Ｂには、図示しない内蔵メモリやＩＣタグなどの環境負荷情報記憶手段が備えられており、ＩＤが記憶されている。レンズユニット１０ｌ−Ｂが装着レンズユニット１０ｌ-curとなった場合、ＣＰＵ１３０は、それらの情報を外部Ｉ／Ｆ１６１を介して、あるいは図示しないＩＣタグリーダ（読み出し手段）で読み出し、メモリ１５７に格納する。
【００９０】
上述のように、ＣＰＵ１３０は、ＩＤと入力された購入先の住所を添付した各ステージの環境負荷情報の送信をパソコン１に要求する。パソコン１は、ＩＤをキーに各ステージの環境負荷情報を外部環境負荷情報ＤＢ２から検索し、検索された物流環境負荷情報をカメラ本体１０ｂに送信する。カメラ本体１０ｂは、パソコン１にて検索・送信された各ステージの環境負荷情報を、環境負荷テーブル１５０として格納する。
【００９１】
タイプＣのレンズユニット１０ｌ−Ｃには、図示しない内蔵メモリやＩＣタグなどの環境負荷情報記憶手段が備えられており、ＩＤが記憶されている。レンズユニット１０ｌ−Ｃが装着レンズユニット１０ｌ-curとなった場合、カメラ本体１０ｂのＣＰＵ１３０は、ＩＤと入力された購入先の住所を添付した各ステージの環境負荷情報の送信をパソコン１に要求する通知を送信する。パソコン１にてＩＤをキーにした環境負荷情報の外部環境負荷情報ＤＢ２あるいはその他のインターネットサイトでの検索が不成功に終わった場合、インターネットサイトでのＩＤに対応する諸元（質量、価格、焦点距離、定格電流など）の検索を開始する。パソコン１は、検索の結果、ＩＤに対応する諸元が発見された場合、この諸元をカメラ本体１０ｂに送信する。
【００９２】
カメラ本体１０ｂのＣＰＵ１３０は、パソコン１から諸元を受信すると、その諸元に含まれる質量ＭＣや価格ＰＣや焦点距離ＦＣなどの基礎データと、環境負荷テーブル１５０が保存されたレンズユニット１０ｌ（例えばタイプＡやタイプＢ）の中から任意に選択されたレンズユニット１０ｌである参照用レンズユニットのＩＤに対応する質量ＭＸや価格ＰＸや焦点距離ＦＸなどの基礎データとから、按分比率Ｒを算出する。例えば、ＣＰＵ１３０は、Ｒ＝ＭＣ／ＭＸとする。あるいは、Ｒ＝ＰＣ／ＰＸとする。あるいは、Ｒ＝ＦＣ／ＦＸとする。ＣＰＵ１３０は、参照用レンズユニットの環境負荷テーブル１５０の各ステージの環境負荷値に比率Ｒを乗じた値を、装着レンズユニット１０ｌ-curであるレンズユニット１０ｌ−Ｃの各ステージの環境負荷値として算出し、これらの値を環境負荷テーブル１５０として格納する。
【００９３】
つまり、図５に示すように、レンズユニット１０ｌ−Ｃの各ステージの未知の環境負荷値を、既知のレンズユニット１０ｌの環境負荷値の比例配分（按分）により求める。図５では質量を基準にした比例配分であるが、その他の基礎データを用いてもよい。
【００９４】
諸元の基礎データすらも不明な場合は、消費電力測定部５０で測定した、カメラ本体１０ｂおよび装着レンズユニット１０ｌ-curの合計の消費電力と既知のレンズユニット１０ｌの環境負荷値を頼りに装着レンズユニット１０ｌ-curの環境負荷値を推測する。
【００９５】
図６は、ＣＰＵ１３０の実行する環境負荷値推測処理のフローチャートである。この処理をＣＰＵ１３０に実行させるためのプログラムは不揮発性メモリ１５７に記憶されている。ＣＰＵ１３０は、この処理を実施するか否かの設定を操作スイッチ３８から受け付け、実施する旨の設定を受け付けた場合のみ処理を実施し、実施しない旨の設定を受け付けた場合は処理を実施しないものとする。
【００９６】
Ｓ１１では、装着レンズユニット１０ｌ-curのＩＤを外部Ｉ／Ｆ１６１やＩＣタグリーダなどを経由して入力する。ただし、装着レンズユニット１０ｌ-curからカメラ本体１０ｂに環境負荷情報は入力されなかったものとする。
【００９７】
Ｓ１２では、パソコン１による装着レンズユニット１０ｌ-curの環境負荷情報の検索が成功したか否かを、パソコン１に問い合わせ、その問い合わせに対する返答の内容により環境負荷情報の受信の可否を判断する。パソコン１からの返答が「環境負荷情報あり」（Ｙｅｓ）の場合はＳ１７に進み、「環境負荷情報なし」（Ｎｏ）の場合はＳ１３に進む。
【００９８】
Ｓ１３では、装着レンズユニット１０ｌ-curの質量、材質、定格電流などの諸元を、外部Ｉ／Ｆ１６１やＩＣタグリーダなどを経由して入力する。
【００９９】
Ｓ１４では、入力された諸元に対応する環境負荷情報の検索を外部Ｉ／Ｆ１６１経由でパソコン１に依頼する。パソコン１は、当該依頼を受信したことに応じて諸元に対応する環境負荷情報を検索する。例えば、パソコン１が図示しない検索エンジンに接続し、「諸元に対応する環境負荷情報」を検索キーワードに指定して検索エンジンにサイトの検索を依頼し、検索されたサイトがあれば、そこにパソコン１が接続して環境負荷情報を取得し、これをカメラ１０に送信する。パソコン１からカメラ本体１０ｂに諸元に対応する環境負荷情報が送信されればＳ１６、当該環境負荷情報が送信されなければＳ１５に進む。
【０１００】
Ｓ１５では、上述したように、パソコン１から諸元を受信すると、その諸元に含まれる質量ＭＣや価格ＰＣや焦点距離ＦＣなどの基礎データと、環境負荷テーブル１５０が保存されたレンズユニット１０ｌ（例えばタイプＡやタイプＢ）の中から任意に選択されたレンズユニット１０ｌである参照用レンズユニットのＩＤに対応する質量ＭＸや価格ＰＸや焦点距離ＦＸなどの基礎データとから、比率Ｒを算出する。例えば、モータ（駆動手段１５２）の質量が消費電力と比例するとみなせるから、これを環境負荷情報の推測基準とすることができる。そして、参照用レンズユニットの環境負荷テーブル１５０の各ステージの環境負荷値に比率Ｒを乗じた値を、装着レンズユニット１０ｌ-curであるレンズユニット１０ｌ−Ｃの各ステージの環境負荷値として算出し、これらの値を環境負荷テーブル１５０として格納する。
【０１０１】
Ｓ１６では、パソコン１から諸元に対応する環境負荷情報を外部Ｉ／Ｆ１６１経由で受信する。
【０１０２】
Ｓ１７では、パソコン１からＩＤに対応する環境負荷情報を外部Ｉ／Ｆ１６１経由で受信する。
【０１０３】
Ｓ１８では、消費電力測定部５０にて、消費電力を測定し、測定された消費電力を、カメラ１０の使用ステージでの環境負荷情報としてメモリ１５７に格納する。あるいは、装着レンズユニット１０ｌ-curと本体１０ｂの定格電流がそれぞれメモリ１５７に格納されていれば、（装着レンズユニット１０ｌ-curの定格電流＋本体１０ｂの定格電流）×電源オンから経過した総時間をカメラ１０全体の消費電力としてもよい。
【０１０４】
Ｓ１９では、環境負荷情報をＬＣＤ２２に表示する。図７はＳ１９でＬＣＤ２２に表示された環境負荷情報の一例を示す。環境負荷情報の基準となった情報（ＩＤに対応した環境負荷情報、諸元に対応した環境負荷情報）に応じた環境負荷情報の精度を合わせて表示してもよい。
【０１０５】
なお、消費電力測定部５０の代わりに、動作履歴に応じた消費電力の推移を示す消費電流モデルを不揮発性メモリ１５７に記憶しておき、ＣＰＵ１３０が統括制御した動作に対応する消費電流をモデルから推測してもよい。図８は消費電流モデルの一例を示す。
【０１０６】
＜その他の実施形態＞
第１実施形態で説明した、ＣＰＵ１３０が実行する処理をパソコン１が実行してもよい。また、ＣＰＵ１３０を備えるカメラ１０以外各種電子機器、例えば携帯電話、パソコン、ＰＤＡなどにおいても当該処理を実行してもよい。
【図面の簡単な説明】
【０１０７】
【図１】環境負荷演算システムの概略構成図
【図２】カメラ全体のＬＣＡ算出の流れを概念的に示す図
【図３】環境負荷算出処理のフローチャート
【図４】環境負荷の表示例を示す図
【図５】レンズユニット１０ｌ−Ｃの各ステージの未知の環境負荷値を、既知のレンズユニット１０ｌの環境負荷値の比例配分（按分）により求める様子を例示した図
【図６】環境負荷値推測処理のフローチャート
【図７】ＬＣＤ２２に表示された環境負荷情報の一例を示す図
【図８】消費電流モデルの一例を示す図
【符号の説明】
【０１０８】
１：パソコン、２：外部環境情報ＤＢ、１０：デジタルカメラ、１３０：ＣＰＵ、５０：消費電力測定部
【図１】
2010118947.tif 000008
【図２】
2010118947.tif 000009
【図３】
2010118947.tif 000010
【図４】
2010118947.tif 000011
【図５】
2010118947.tif 000012
【図６】
2010118947.tif 000013
【図７】
2010118947.tif 000014
【図８】
2010118947.tif 000015